(57)【要約】      （修正有）【課題】切った爪が爪切り具の支柱に当たって弾けて周囲に飛び散るのを防いで爪切りの効率を高めることができる爪切り具を提供する。【解決手段】爪切り刃部の本体４の内側に支柱受け軸承穴と固定用バネ部２を設けた弾衝板３を装着する。後にハンドル５と爪切り刃部の本体４を連結するための支柱を弾衝板３に設けた支柱受け軸承穴を経由しながら連結する。固定用バネ部２は爪切り刃部本体４の後方接合部分で反発しながら位置の安定を保つ。【選択図】図１
0003155745.tif 000002
【実用新案登録請求の範囲】
【請求項１】
爪切り具において、爪切り刃部本体の内側に弾衝効果のある弾衝板を爪切り具の支柱をカバーするように配置して切った爪が硬い支柱に当たって弾けて周囲に飛び散らないようにした事を特徴とした爪切り具。
【考案の詳細な説明】
【技術分野】
【０００１】
本考案は、爪切りの際に、切った爪が周囲に飛び散らないように爪切り具の支柱部分をガードするように弾力のある緩衝帯を組み合わせた爪切り具に関するものである。
【背景技術】
【０００２】
従来、爪切り具で爪を切ると爪が支柱部分に当たってはじけて両サイドの隙間より周辺に飛び散る事があった。                                  
【考案の開示】
【考案が解決しようとする課題】
【０００３】
そのために、次の様な問題点があった。
（イ）爪切りの際に飛散した爪を受け止める紙やマット等を敷いて場所も広く取らなくてはいけなかった。
（ロ）飛散防止のカバーを取り付けた構造の爪切り具の場合、正面からしか爪を切る事が出来ないので爪の端部分などを切るのに爪切り刃の両端が使えず不便であった。
（ハ）本考案は、これらの問題点を解消するためになされたものである。
【課題を解決するための手段】
【０００４】
従って、本考案は実務上どのような素材や形が必要か研究しながら弾衝効果のある素材を用いて爪切り具の支柱をガードして尚且つ爪切りを実行した時に支柱をガードしている弾衝帯が刃の部分に膨らみ切られた爪が支柱に当たる衝撃を軽減して爪の飛散を防ぐ爪切り具である。
【考案の効果】
【０００５】
上述のような、本考案の飛散防止を目的とした爪切り具は従来の爪切り具がいろんな角度から取り扱える便利さを残しながら切った爪が周辺に飛び散らない事を可能にする。
【考案を実施するための最良の形態】
【０００６】
以下、本考案の実施形態について説明する。
爪切り具の刃に対面する側の支柱側面に弾力効果のある板状の弾衝帯をあてがい上下を刃に対して反対方向に折り返して板状の素材が爪切り具の結合部分手前で合わさるようにする。さらに片方のみを合わさった部分より反対側に折り返しを付けて処理する。この折り返し部分がバネとなり爪切り具からの脱線防止機能となる。
【実施例１】
【０００７】
以下、添付図面に従って実施例を説明する。
爪切り刃部の本体（４）の内側に支柱受け軸承穴（１）と固定用バネ部（２）を設けた弾衝板（３）を装着する。後にハンドル（５）と爪切り刃部の本体（４）を連結するための支柱（６）を弾衝板（３）に設けた支柱受け軸承穴（１）を経由しながら連結する。
固定用バネ部（２）は爪切り刃部本体（４）の後方接合部分で反発しながら位置の安定を保つ。以上の構成による爪切り具。
【産業上の利用可能性】
【０００８】
人間の諸活動の中で環境の衛生面と心の衛生面があるが爪切りによる行為の中で周囲の環境衛生を保ちながら作業の苛々を無くす器具の改良は不可欠である。
特に最近、介護による爪切り作業の器具の使いやすさを提供して時間の短縮を計りサービスの向上に一役担うものは他に例を見ない。
産業上利用可能性は器具の製作面とその使用方法にある。
【図面の簡単な説明】
【０００９】
【図１】本考案の実施例１を示す正面斜視図である
【図２】本考案の正面図である。
【図３】本考案の分解斜視図である。
【符号の説明】
【００１０】
１  支柱受け軸承穴
２  固定用バネ部
３  弾衝板
４  爪切り刃部本体
５  ハンドル
６  支柱
【図１】
0003155745.tif 000003
【図２】
0003155745.tif 000004
【図３】
0003155745.tif 000005
【手続補正書】
【提出日】平成21年9月5日(2009.9.5)
【手続補正１】
【補正対象書類名】明細書
【補正対象項目名】全文
【補正方法】変更
【補正の内容】
【考案の詳細な説明】
【技術分野】
【０００１】  本考案は、爪切りの際に切った爪が周囲に飛び散らないように爪切り具の支柱部分を弾力のある緩衝板で覆い隠す様にカバーする構造にした爪切り具に関するものである。
【背景技術】
【０００２】  従来、爪切り具で爪を切ると切った爪が爪切り具の支柱部分に当たって弾けて両サイドの空間の隙間から周辺に飛び散る事があった。
【考案の開示】
【考案が解決しようとする課題】
【０００３】  そのために、次の様な問題点があった。
（イ）爪切りの際に飛散した爪を受け止める紙やマットを敷いて場所も広く取らなくては      いけなかった。
（ロ）飛散防止のために爪切り具の両サイドの空間の隙間を覆い隠すカバーを取り付けた      構造の爪切り具の場合、爪切り刃の両サイドがカバーのために使いづらく爪に対し      て正面から切る事が多くなり爪の端部分が切りづらく不便であった。
（ハ）本考案は、これらの問題を解消するためになされたものである。
【課題を解決するための手段】
【０００４】  従って、本考案は実務上どのような素材や形が必要か研究しながら弾力効果のある素材を用いて爪切り具の支柱部分をカバーするように緩衝板を設け、爪切りを実行した時に切られた爪が勢いよく飛び出そうとする力を緩衝板が受け止めて衝撃を軽減して爪の飛散を防ぐ爪切り具である。
【考案の効果】
【０００５】  上述のような、本考案の爪の飛散防止を目的とした爪切り具は、従来の爪切り具が爪を切る時にいろんな角度から爪切りを実行できる便利さを残しながら切った爪が周辺に飛び散らない事を可能にする。
【考案を実施するための最良の形態】
【０００６】  以下、本考案の実施形態について説明する。
爪切り具の刃に対面する側の支柱側面に弾力効果のある緩衝板をあてがい支柱の長さ分の位置で刃に対して上下共に反対方向に折り曲げ上下共に支柱を受ける軸承穴を設けてその上下の緩衝板は爪切りの接合部分で合わさるように長さを取り下部の板は上部の板より長く処理をして上部と下部が合わさった部分で下部の長く処理した部分を爪切り刃の方向に折り返し、この折り返し部分がバネの役目を担い爪切り具からのはみ出し防止機能となる。
【実施例１】
【０００７】  以下、添付図面に従って実施例を説明する。
爪切り刃部の本体（４）の内側に、支柱受け軸承穴（１）と固定用バネ部（２）を設けた緩衝板（３）を装着し、後にハンドル（５）と爪切り刃部の本体（４）を連結するための支柱（６）を緩衝板（３）に設けた支柱受け軸承穴（１）を経由しながら連結し、固定用バネ部（２）は爪切り刃部本体（４）の後方接合部分で反発しながら位置の安定を保つ。
以上の構成による爪切り具。
【産業上の利用可能性】
【０００８】  人間の諸活動の中で環境の衛生面と心の衛生面があるが、爪切りの行為の中で周囲の環境衛生を保ちながら作業の苛々を無くして心の衛生面を平静に保つ器具の改良は不可欠であり特に最近、介護による爪切り作業において器具の使いやすさを提供して時間の短縮をはかりサービスの向上に一役担うものは他に例を見ない。
産業上の利用可能性は器具の製作面とその使用方法にある。
【図面の簡単な説明】
【０００９】
【図１】本考案の実施例１を示す正面斜視図である。
【図２】本考案の正面図である。
【図３】本考案の分解斜視図である。
【符号の説明】
【００１０】  １  支柱受け軸承穴
２  固定用バネ部
３  緩衝板
４  爪切り刃部本体
５  ハンドル
６  支柱
【手続補正２】
【補正対象書類名】実用新案登録請求の範囲
【補正対象項目名】全文
【補正方法】変更
【補正の内容】
【実用新案登録請求の範囲】
【請求項１】
爪切り具において、爪切り刃部本体の内側に弾力効果のある緩衝板を爪切り具の支柱をカバーするように配置して装着し、切った爪を緩衝板で受け止めて衝撃を軽減して周囲に飛び散らない事を特徴とした爪切り具。